(57)【要約】【課題】髪止め具に髪を巻き付けて保持した状態で、この髪に対する髪止め具の位置をずれにくくする。【解決手段】長板状の台座部２と、台座部２の長手方向Ｘに間隔をおいて形成された複数の櫛歯３とを有する基板４に飾り部５が設けられた髪止め具において、前記台座部２には、所定量の髪を掛止する掛止凹部８が隣り合う櫛歯３の根元間に形成されている。【選択図】図１０
0003119243.tif 000002
【実用新案登録請求の範囲】
【請求項１】
長板状の台座部と、台座部の長手方向に間隔をおいて形成された複数の櫛歯とを有する基板に飾り部が設けられた髪止め具において、
前記台座部には、所定量の髪を掛止する掛止凹部が隣り合う櫛歯の根元間に形成されていることを特徴とする髪止め具。
【請求項２】
長板状の台座部と、台座部の長手方向に間隔をおいて形成された複数の櫛歯とを有する基板に飾り部が設けられた髪止め具において、
前記台座部には、所定量の髪を掛止する掛止凹部が、隣り合う櫛歯の根元間から櫛歯の長手方向に交差する方向に向かって形成されていることを特徴とする髪止め具。
【請求項３】
長板状の台座部と、台座部の長手方向に間隔をおいて形成された複数の櫛歯とを有する基板に飾り部が設けられた髪止め具において、
前記台座部には、所定量の髪を掛止する掛止凹部が隣り合う櫛歯の根元間に形成されており、前記掛止凹部は、前記櫛歯の根元間の間隔よりも小さな幅の髪導入部と、この髪導入部の幅よりも大きな幅の髪掛止部とを有することを特徴とする髪止め具。
【請求項４】
前記掛止凹部は、前記櫛歯の長手方向に交差する直線状の斜辺を有していることを特徴とする請求項１または２に記載の髪止め具。
【請求項５】
前記掛止凹部は、隣り合う櫛歯の間隔よりも大きな直径の円形に形成されていることを特徴とする請求項１に記載の髪止め具。
【考案の詳細な説明】
【技術分野】
【０００１】
本考案は、夜会巻き等に使用される髪止め具に関する。
【背景技術】
【０００２】
従来の髪止め具として、例えば、金属板の打ち抜き加工によって、長板状の台座部と、この台座部の幅方向の一端部からこの幅方向に向かって突出された複数の櫛歯とが形成されたものがある（例えば、特許文献１参照）。
この髪止め具の台座部には種々の装飾が施されており、例えば女性の後頭部において、髪をこの髪止め具に巻き付けることによって、所定のヘアスタイルに維持するとともに、女性の頭部を綺麗に飾ることができるようになっている。
【特許文献１】実用新案登録第３１１４６２２号公報
【考案の開示】
【考案が解決しようとする課題】
【０００３】
従来の髪止め具では、髪を巻き付けて保持した状態で、この状態を維持する機能が要求される。すなわち、巻き付けられた髪から髪止め具がずれ落ちたり、巻き付けられた髪がずれてヘアスタイルが崩れたりしないことが望まれる。
本考案は、このような事情に鑑みてなされたものであり、髪を巻き付けて保持した状態で、この髪に対する位置がずれにくい髪止め具を提供することを目的とする。
【課題を解決するための手段】
【０００４】
本考案は、上記の目的を達成するために以下の技術的手段を講じた。
すなわち、長板状の台座部と、台座部の長手方向に間隔をおいて形成された複数の櫛歯とを有する基板に飾り部が設けられた髪止め具において、前記台座部には、所定量の髪を掛止する掛止凹部が隣り合う櫛歯の根元間に形成されていることを特徴とする。
これによれば、掛止凹部に所定量の髪が入ることによって、この髪が束としてこの掛止凹部によって掛止されるため、髪止め具の髪に対する位置がずれないようにすることができる。
【０００５】
また、本考案は、長板状の台座部と、台座部の長手方向に間隔をおいて形成された複数の櫛歯とを有する基板に飾り部が設けられた髪止め具において、前記台座部には、所定量の髪を掛止する掛止凹部が、隣り合う櫛歯の根元間から櫛歯の長手方向に交差する方向に向かって形成されていることを特徴とする。
これによれば、掛止凹部に所定量の髪が入ることによって、この髪の束がこの掛止凹部によって掛止されるため、髪止め具と髪の位置がずれないようにすることができる。またこの掛止凹部は櫛歯が形成された向きとは異なる向きに形成されることになるので、この掛止凹部に入った髪の束を確実に掛止できるようになっている。
【０００６】
また、本考案は、長板状の台座部と、台座部の長手方向に間隔をおいて形成された複数の櫛歯とを有する基板に飾り部が設けられた髪止め具において、前記台座部には、所定量の髪を掛止する掛止凹部が隣り合う櫛歯の根元間に形成されており、前記掛止凹部は、前記櫛歯の根元間の幅よりも小さな幅の髪導入部と、この髪導入部の幅よりも大きな幅の髪掛止部とを有することを特徴とする。
これによれば、櫛歯の根元間の幅よりも小さな幅の髪導入部から髪掛止部へ髪を導入することによって、一定量の髪をこの髪掛止部によって確実に掛止できるようになる。
【０００７】
また、前記掛止凹部は、前記櫛歯の長手方向に交差する直線状の斜辺を有していることが望ましい。
これによれば、掛止凹部の斜辺に髪が掛止されることによって、髪止め具と髪の位置がずれないようにすることができる。
また、前記掛止凹部は、隣り合う櫛歯の間隔よりも大きな直径の円形に形成されていることが望ましい。
これによれば、掛止凹部に入った所定量の髪の束は、隣り合う櫛歯の間隔よりも太くなるので、このより確実にこの掛止凹部に掛止され、これによって髪に対する髪止め具の位置がずれないようにできる。
【考案の効果】
【０００８】
本考案によれば、髪を巻き付けて保持した状態で、この髪に対する位置がずれにくくすることができる。
【考案を実施するための最良の形態】
【０００９】
以下、図面を参照しながら本考案を実施するための最良の形態を説明する。
図１乃至図１０は本考案に係る髪止め具１の第１実施形態を示している。
図１０に示すように、本考案に係る髪止め具１は、台座部２と、台座部２から突出して形成された複数の櫛歯３と有する金属製の基板４に、飾り部５を設けた構成となっている。前記飾り部５は、台座部２において櫛歯３が設けられた幅方向の端部とは反対側の端部に設けられている。この飾り部５の基部は金属で構成されており、台座部２の端部に溶接等によって固着されている。
【００１０】
台座部２および櫛歯３は、金属板の打ち抜き加工によって一体に形成されており、台座部２は、正面視において長方形状（長板状）とされており、櫛歯３は、この台座部２の幅方向の一端部から突出して形成されている。また、前記台座部２は、図５に示すように、その板厚方向に湾曲した円弧形状とされている。
図７、図８示すように、前記櫛歯３は、板厚方向に湾曲形成された台座部よりもさらにその板厚方向に湾曲し、この台座部よりもその湾曲した方向に突出して形成されており、これによって台座部２と櫛歯３の根元との間には、境界線Ｚが形成されている。
【００１１】
前記櫛歯３は、台座部２の長手方向Ｘに沿って間隔をおいて形成されており、図１に示すように弓状あるいは円弧状に湾曲して形成されている。櫛歯３の幅方向の両側には、この櫛歯３の幅方向に突出する複数の突起部６が形成されている。なお、以下、図２において台座部２の長手方向Ｘに直交する方向を幅方向Ｙという（以下、他の図面において同じ）。
この突起部６は、この櫛歯３の長手方向に沿って間隔をおいて形成されており、櫛歯３の幅方向の片側と反対側とで櫛歯３の長手方向で互い違い（いわゆる千鳥状）となるように形成されている。
【００１２】
前記台座部２には、利用者の髪を掛止する掛止凹部８が形成されている。この掛止凹部８は、台座部２と櫛歯３の根元との境界線Ｚから台座部２の櫛歯３が設けられた側とは反対側の端部（飾り部５が設けられた端部）に向かって形成されている。また、この掛止凹部８は、隣り合う櫛歯３の根元間からこの台座部２の飾り部５が設けられた端部に向かって、前記櫛歯３の長手方向に交差するように形成されている。
例えば、女性の髪をこの髪止め具１に巻き付けた場合には、掛止凹部８に所定量の髪の毛が入りこみ、この髪が束となってこの掛止凹部８に掛止され、これによって髪止め具１は、その位置がずれることなく、髪を所定のヘアスタイルで維持することができるようになっている。なお、掛止凹部８には、約３００〜６００本程度の髪が入るようにするのが好ましい。
【００１３】
図２、図３に示すように、掛止凹部８は、前記櫛歯３の長手方向に対して交差する第１斜辺９を有しており、この髪止め具１は、髪を保持しているときに、この髪が前記第１斜辺９に引っ掛かることによって髪に対する位置がずれないように掛止されるようになっている。ここで、櫛歯３の長手方向とは、櫛歯３の中心線Ｌが向く方向をいう。この実施形態では櫛歯３は、弓状または円弧状に形成されているため、その中心線Ｌも弓状または円弧状となっている。
掛止凹部８は、前記第１斜辺９と対向する第２斜辺１０を有している。この第２斜辺１０は、直線状とされていて、前記第１斜辺９と平行に形成されている。第１斜辺９と第２斜辺１０は一定の間隔で離間されており、この第１斜辺９と第２斜辺１０の離間距離は、約２ｍｍ〜４ｍｍ程度とされている。
【００１４】
このように第１斜辺９と第２斜辺１０を直線状で互いに平行に形成することによって、掛止凹部８は、正面からみて直線状の部分を有することになる。この直線状の部分は、櫛歯３に対して所定の角度で交差するように形成されることになる。ここで、「掛止凹部８が櫛歯３に交差する」とは、掛止凹部８の直線状部分の中心線Ｍが櫛歯３の中心線Ｌに交差することをいう。掛止凹部８の中心線Ｍと櫛歯３の中心線Ｌとの交差角度は５０°〜８０°の範囲で設定されるのが好ましい。本実施例では櫛歯３の中心線Ｌは、円弧状となっているので、この交差角度は、掛止凹部８の中心線Ｍと、櫛歯３の中心線Ｌとの交差点における中心線Ｍの接線との交差角度である。なお、櫛歯３が直線状に形成される場合は、前記交差角度は、掛止凹部８の中心線と櫛歯３の中心線Ｌとがなす角度である。
【００１５】
また、掛止凹部２の中心線Ｍは、台座部２の幅方向Ｙに対して所定の角度に傾斜させて形成されている。図３に示すように、台座部２の幅方向Ｙと掛止凹部８の中心線Ｍとの交差角度θは、約５°〜４０°範囲の角度に傾斜させ、この傾斜によって掛止凹部８を櫛歯３と所定の角度で交差させている。
このように、櫛歯３の向きと異なる方向に沿って形成された掛止凹部８を台座部２に形成することによって、髪止め具１を女性の後頭部に装着した際、櫛歯３間に入り込んだ髪がこの掛止凹部８にも入り、この掛止凹部８に入り込んだ所定量の髪が束となって掛止凹部８に引っ掛かり、これによって、髪止め具１が櫛歯３の向く横方向にずれにくくなり、髪から抜け外れにくくなるとともに、所定のヘアスタイルを保持することができるようになるのである。
【００１６】
前記第１斜辺９と第２斜辺１０とは、円弧部１１によって連続状につながっている。この円弧部１１は、掛止凹部８の端部８ａを形成するものであり、このように掛止凹部８の端部８ａを円弧状に形成することによって、この掛止凹部８に入った髪が傷つかないようになっている。
この髪止め具１は、図９、図１０に示すように、台座部２の長手方向Ｘを上下方向に一致させるようにし、弓状の櫛歯３が横方向に向いた状態で女性の後頭部に装着される。このとき、弓状または円弧状に形成された櫛歯３の頂部が下側に向くようになっており、また、掛止凹部８の端部８ａが下側を向いた状態となっている。またこの状態では、髪止め具１は、基板４が髪の中に隠れ、飾り部５のみが露出している。
【００１７】
このように、掛止凹部８の端部８ａが下向きとなった状態では、髪はその自重によってこの掛止凹部８内に入り、この掛止凹部８に入った髪がある程度の束となって掛止凹部８の第１斜辺９に当たり、これによって髪止め具１は横方向への位置がずれないように掛止されるのである。
図１１は、本考案に係る髪止め具１の第２実施形態を示している。
この第２実施形態では、掛止凹部８の形状が第１実施形態の場合と異なる。すなわち、第１実施形態では、掛止凹部８は、互いに平行な第１斜辺９と第２斜辺１０とを有していたが、この第２実施形態では、掛止凹部８は、所定の直径の円形に形成されている。この掛止凹部８の直径は、隣り合う櫛歯３の根元間の間隔Ａよりも大きく設定されている。
【００１８】
このようにすることで、この掛止凹部８に入った所定量の髪の束は、櫛歯３の根元間の間隔Ａよりも大きく（太く）なるため、髪止め具１が女性の後頭部に装着されている場合に、この掛止凹部８に引っ掛かり、これによって髪止め具１が髪から抜けはずれにくく、しかも所定のヘアスタイルを維持することができるようになっている。その他の構成は、第１実施形態と同様の構成であり、共通する部分には共通符号を付している。
図１２は、本考案に係る髪止め具１の第３実施形態を示している。
この第３実施形態では、掛止凹部８の形状が第１実施形態、第２実施形態と異なる。すなわち、この掛止凹部８は、第１斜辺９と第２斜辺１０を有しているが、これらは互いに平行とはされていない。この第１斜辺９と第２斜辺１０は、隣り合う櫛歯３の根元から掛止凹部８の端部８ａに向かうにつれて末広がりとなるように傾斜して形成されている。
【００１９】
そして、第１斜辺９と第２斜辺１０は、円弧部１１によってつながっている。この円弧部１１と第１斜辺９とがつながる点、およびこの円弧部１１と第２斜辺１０とがつながる点との距離は、隣り合う櫛歯３の根元間の間隔Ａよりも大きくなっている。
このようにすることで、この掛止凹部８に入った髪の束は、隣り合う櫛歯３の根元間の間隔Ａよりもその幅（太さ）が大きくなるので、髪止め具１は、女性の後頭部に装着された場合に、前記髪の束が掛止凹部８に引っ掛かって、髪から抜けはずれにくくなるとともに、所定のヘアスタイルを保持できるのである。その他の構成は、第１実施形態と同様の構成であり、共通する部分には共通符号を付している。
【００２０】
図１３は、本考案に係る髪止め具１の第４実施形態を示している。
この第４実施形態では、掛止凹部８の形状が第１実施形態、第２実施形態のものと異なる。その他の部分は他の実施形態と同様であり、共通する部分には共通符号を付している。第４実施形態では、掛止凹部８は、櫛歯３の根元から髪を導入する髪導入部１３と、髪導入部１３から導入された髪を掛止する髪掛止部１４を有している。
図１３に示すように、前記髪導入部１３は、正面視で直線状とされており、台座部２の幅方向Ｙに沿って形成されている。この髪導入部１３の幅Ｂ（台座部２の長手方向Ｘにおける幅をいう）は、隣り合う櫛歯３の根元間の間隔Ａよりも小さくされている。
【００２１】
髪掛止部１４は、正面視円形とされており、前記髪導入部１３の奥側で連続状に形成されている。この髪掛止部１４の直径は、前記髪導入部１３の幅Ｂよりも大きく設定されている。すなわち、この髪導入部１３の前記台座部２の長手方向Ｘにおける幅Ｂは、前記髪導入部１３の幅Ｂよりも大きくなっている。
このように、髪導入部１３の幅Ｂを隣り合う櫛歯３の根元間の間隔Ａよりも小さくし、髪掛止部１４の幅をこの髪導入部１３の幅Ｂよりも大きく設定することによって、髪止め具１を女性の髪に差したときに、櫛歯３間に入った髪のうち所定量の髪を髪導入部１３から髪掛止部１４に導入し、この導入された所定量の髪は束となって、この髪掛止部１４に留まって掛止される。これによって、髪止め具１は、女性の後頭部に装着された場合に、前記髪の束が髪掛止部１４に引っ掛かって、髪から抜けはずれにくくなるとともに、所定のヘアスタイルを保持できるのである。
【００２２】
図１４は本考案に係る髪止め具１の第５実施形態を示している。
この第５実施形態では、前記掛止凹部８の形状が第４実施形態と異なる。第４実施形態では、掛止凹部８の髪導入部１３が台座部２の幅方向Ｙに沿って形成されていたが、この第５実施形態では、髪導入部１３は、正面視において、台座部２の幅方向Ｙに対して所定の角度で傾斜して形成されている。
図１４に示すように、髪導入部１３は、台座部２の幅方向Ｙに対して所定の角度で傾斜する第１斜辺１３ａと、この第１斜辺１３ａと平行な第２斜辺１３ｂとを有している。なお、この第１斜辺１３ａと第２斜辺１３ｂの間隔、すなわち、髪導入部１３の幅Ｂは、隣り合う櫛歯２の根元間の間隔Ａよりも小さくなっている。
【００２３】
前記髪導入部１３の奥側には、第４実施形態と同様に円形の髪掛止部１４が連続状に形成されている。この円形の髪掛止部１４の中心は、前記髪導入部１３の中心線Ｎ（第１斜辺１３ａおよび第２斜辺１３ｂから等距離にある点を結んだ直線）上に位置している。
このように、髪導入部１３を台座部２の幅方向Ｙに対して傾斜させて形成することによって、例えば、台座部２の長手方向Ｘが上下を向くようにし、そして掛止凹部が下方向きになるようにしてこの髪止め具１を女性の後頭部に装着すると、髪掛止部１４のみならず、髪導入部に位置する髪が第１斜辺１３ａに掛止されることになり、髪掛止部１４による所定量の髪の束の掛止と、この髪導入部１３の第１斜辺１３ａによる髪の掛止とによって、確実に髪止め具１の髪からの抜けはずれを防止することができるようになる。
【００２４】
なお、本考案は上記の実施の形態に限らず、以下のように種々の変形・変更が可能である。例えば、本考案に係る櫛歯３は、弓状、円弧状のものに限らず、台座部２の幅方向Ｙに沿って直線的に形成し、この櫛歯３の根元間からこの櫛歯３に交差するように掛止凹部８を台座部２に形成するようにしてもよい。また、この櫛歯３は、突起部６が形成されていないものや、その幅方向の中央部にリブを形成したものにも本考案を適用できる。
台座部２は、その板厚方向に湾曲して形成されていたが、このような湾曲がない平板状になったものであってもよい。
【産業上の利用可能性】
【００２５】
本考案は、夜会巻き等に利用される髪止め具に利用できる。
【図面の簡単な説明】
【００２６】
【図１】本考案にかかる髪止め具の第１実施形態を示し、飾り部を除いた状態の基板の斜視図である。
【図２】同じく基板の正面図である。
【図３】同じく掛止凹部の拡大図である。
【図４】同じく基板の背面図である。
【図５】同じく基板の平面図である。
【図６】同じく基板の底面図である。
【図７】同じく基板の左側面図である。
【図８】同じく基板の右側面図である。
【図９】髪止め具を女性の後頭部に装着した状態を示す斜視図である。
【図１０】第１実施形態に係る髪止め具の斜視図である。
【図１１】本考案の第２実施形態に係る髪止め具の掛止凹部の拡大図である。
【図１２】本考案の第３実施形態に係る髪止め具の掛止凹部の拡大図である。
【図１３】本考案の第４実施形態に係る髪止め具の掛止凹部の拡大図である。
【図１４】本考案の第５実施形態に係る髪止め具の掛止凹部の拡大図である。
【符号の説明】
【００２７】
１    髪止め具
２    台座部
３    櫛歯
４    基板
８    掛止凹部
１３  髪導入部
１４  髪掛止部
【図１】
0003119243.tif 000003
【図２】
0003119243.tif 000004
【図３】
0003119243.tif 000005
【図４】
0003119243.tif 000006
【図５】
0003119243.tif 000007
【図６】
0003119243.tif 000008
【図７】
0003119243.tif 000009
【図８】
0003119243.tif 000010
【図９】
0003119243.tif 000011
【図１０】
0003119243.tif 000012
【図１１】
0003119243.tif 000013
【図１２】
0003119243.tif 000014
【図１３】
0003119243.tif 000015
【図１４】
0003119243.tif 000016